(57)【要約】【課題】安価で、応答性が良く、各吹出口に設置したＶＡＶ式空調システム並の個別制御が行える空調システムおよび空調方法を提供する。【解決手段】空調ユニットと、空調ユニットから供給される空調空気を複数の吹出口に分配するチャンバ２と、チャンバ２の空調ユニット側に設けられ、実風量と設定風量とを比較し、その比較結果に基づいて風量制御を行うＶＡＶユニット１と、チャンバ２の各吹出口側に設けた遠隔制御可能なモータダンパ３Ａ〜３Ｄと、空調ユニット、チャンバ２、ＶＡＶユニット１およびモータダンパ３Ａ〜３Ｄによって空調されるエリアの温度等の空調環境情報を検出して、モータダンパ３Ａ〜３Ｄの開度を変更するダンパ開度変更手段と、各ダンパ手段の開度情報を集計して、ＶＡＶユニット１の設定風量を変更する制御手段とを備えた空調システム。【選択図】  図１
2005127636.tif 000002
【特許請求の範囲】
【請求項１】
空調ユニットと、前記空調ユニットから供給される空調空気を複数の吹出口に分配するチャンバと、前記チャンバの前記空調ユニット側に設けられ、実風量と設定風量とを比較し、その比較結果に基づいて風量制御を行うＶＡＶユニットと、前記チャンバの各吹出口側に設けた遠隔制御可能なダンパ手段と、前記空調ユニット、チャンバ、ＶＡＶユニットおよびダンパ手段によって空調されるエリアの温度等の空調環境情報を検出して、前記ダンパ手段の開度を変更するダンパ開度変更手段と、前記各ダンパ手段の開度情報を集計して、前記ＶＡＶユニットの設定風量を変更する制御手段とを備えたことを特徴とする空調システム。
【請求項２】
前記ダンパ開度変更手段は、前記ダンパ手段の開度を数段階の段階制御で変更するものである請求項１記載の空調システム。
【請求項３】
前記ダンパ手段は、正逆回転可能なモータで駆動されるモータダンパである請求項１または２に記載の空調システム。
【請求項４】
空調ユニットと、前記空調ユニットから供給される空調空気を複数の吹出口に分配するチャンバと、前記チャンバの前記空調ユニット側に設けられ、実風量と設定風量とを比較し、その比較結果に基づいて風量制御を行うＶＡＶユニットと、前記チャンバの各吹出口側に設けた遠隔制御可能なダンパ手段と、前記空調ユニット、チャンバ、ＶＡＶユニットおよびダンパ手段によって空調されるエリアの温度等の空調環境情報を検出して、前記ダンパ手段の開度を変更するダンパ開度変更手段とを備えた空調システムを用いた空調方法であって、
前記ＶＡＶユニットにおける空調空気の通過風速が、設定風量相当となるよう自動制御することを特徴とする空調方法。
【請求項５】
前記ダンパ手段に接続される吹出口が受け持つ空調エリアの実温度に応じて最適の風量となるように前記ダンパ手段の開度を制御することを特徴とする請求項４記載の空調方法。
【請求項６】
前記ダンパ手段の開度は、段階制御により行うことを特徴とする請求項５記載の空調方法。
【請求項７】
前記空調ユニットの送風手段の出口側の静圧信号を検出して前記送風手段の回転数を制御する静圧制御を行うことを特徴とする請求項４〜６のいずれかの項に記載の空調方法。
【発明の詳細な説明】
【技術分野】
【０００１】
本発明は、ビルや事業所等の居室内の温度調整および換気を行う空調システムおよび空調方法に関する。
【背景技術】
【０００２】
従来におけるビルや事業所等の集中空調設備は、基本的には、空調ユニットからダクトを介して各室の天井面などに設置された空気吹出口から空調された空気を供給するようにしたものである。各室の空気吹出口にはモータダンパを設け、その開度を室内温度センサからの信号により室温が所望の温度になるように調整する。
【０００３】
しかし、このような構成では、空調ユニットからの総風量は一定であるので、ある部屋でダンパの開度を調整すると、他の部屋のダンパ開度を変えていないにも拘わらず、他の部屋への送風量が変動してしまうという問題がある。
【０００４】
このような問題を解消するものとして、ＶＡＶ（Variable Air Volume：可変定風量）式空調システムがある。このＶＡＶ式空調システムは、空調熱負荷を空気で処理する方式の一つで、例えば冷房運転の時、あるエリアの温度が上昇したとすると、そのエリアに対する送風量を増やして、適正温度に保つようなものを指す。
【０００５】
図３はＶＡＶ式空調システムの構成を示すブロック図である。このシステムは、空調ユニット３１から主ダクト３２を介して分岐ユニット３３に空調された空気を供給し、分岐ユニット３３に複数のＶＡＶ装置３４を接続し、ＶＡＶ装置３４からダクト３５を介して各空調エリアの吹出口３６から空気を吹き出す構成となっている。ＶＡＶ装置３４にはダンパが設けられており、ダンパ開度制御装置３７によりその開度が制御される。ダンパ開度制御装置３７はＤＤＣ（分散コントローラ）３８に接続されており、ＤＤＣ３８は中央コントローラ（中央空調制御盤）３９に接続されている。ＤＤＣ３８は中央コントローラ３９からの指示や室内サーモ４０、執務者個々人が持つ風量設定器４１等からの信号を受けて、図示の例では４台のＶＡＶ装置３４を制御するものである。
【０００６】
中央コントローラ３９から、ＤＤＣ３８へ、目標温度が指示されるほか、ウオーミングアップ運転の指示や通常運転モードへの復帰指示なども伝送される。
【０００７】
ＤＤＣ３８は、中央コントローラ３９の指示温度と室内サーモ４０からの温度信号を比較して、Ａ〜Ｄの４台のＶＡＶ装置３４に設定風量信号を出力する。ここで、ＤＤＣ１台に対して、室内サーモ４０も１台設置し、エリアごとの細かな制御を行う。
【０００８】
執務者個々人が持つ風量設定器４１から風量アップ、ダウン（空調強、弱）のワイヤレス信号が天井面の受信機（図示せず）に発信されると、受信機からＤＤＣ３８を経由して個々のＶＡＶ装置３４にその信号が送られ、当初ＤＤＣ３８から指示された風量に対し、ＶＡＶ装置３４の設定風量を１ランクアップ、ダウンした風量に設定しなおす。
【０００９】
個々のＶＡＶ装置３４の風量が最大設定風量か、最小設定風量にならない限り、風量設定器４１の発するワイヤレス信号に反応してＶＡＶ装置３４の風量は変化する。
【００１０】
中央コントローラ３９からウオーミングアップ運転（就業時間前の空調立ち上げ時）の指示がＤＤＣ３８に来ると、ＤＤＣ３８は強制全開信号、または最大設定風量信号をＶＡＶ装置３４側へ出力する。ウオーミングアップ運転モード時は、風量設定器４１の発信する風量アップ、ダウン信号は無視される。中央コントローラ３９から通常運転復帰の指示がＤＤＣ３８に来ると、ＤＤＣ３８は中央コントローラ３９からの指示温度と、室内サーモ４０からの温度信号を比較して、４台のＶＡＶ装置３４に設定風量信号を出す。通常運転モード時は、風量設定器４１の発信する風量アップ、ダウン信号が有効である。
【００１１】
しかし、このＶＡＶ式空調システムでは、各吹出口３６ごとにＶＡＶ装置３４を１台ずつ設けているため、制御が複雑化するとともに、システムとしてイニシャルコストが嵩むという問題があり、ビルや事業所では大きな負担となっている。
【００１２】
このようなＶＡＶ式空調システムにおける制御の複雑化やコストの問題を解消するために、特開平１−２０８６４８号公報（特許文献１）には、空調ユニットから伸びる主ダクトに、各室の吹出口ユニットに至る複数本の分岐ダクトを備え、主ダクトからの供給空気を各室に分配する分配チャンバを接続するとともに、チャンバ内の静圧を検出する圧力検出器と、その圧力検出器による検出圧力が一定になるように、空調ユニットのファンの風量を調節する風量調整手段とを備えた空調装置が開示されている。これにより、コストの高いＶＡＶ装置を各室に備える必要がなく、全体としてコストの低い空調装置を提供することができる。
【００１３】
また、実公平５−５３８５号公報（特許文献２）には、空調機と、空調空気を送風する送風機と、複数の個別空間に空調空気を送出するダクトと、これらのダクトに設けたダンパとを有する空調装置であって、空調機に接続したダクトの途中に設けたダンパの回動軌跡内に、風量配分用のガイドを設け、このガイドによりダクトの通路断面積を可変とする空調装置が開示されている。このような構成とすることにより、空調室内機からの距離あるいは位置に応じて各個別空間への通路の断面積を任意に可変とすることができるため、風量制御が簡単で可能な限り安定した風量供給を行うことができるとともに、とくに現場での施工作業においても簡単な制御機構とすることができる。
【００１４】
特開平８−２１９５３５号公報（特許文献３）には、総風量を自動制御可能な１つの送風機と、その送風機に連通する送風系と、その送風系内に設置されてそれぞれの開度を個別に自動制御可能な複数のダンパと、送風系内に設置される１つの静圧検出器とを備え、送風機は、静圧検出器において検出される静圧検出値が所定の静圧設定値に保持されるように追従制御されるように構成されたＶＡＶ式空調システムが開示されている。この構成によれば、専用のＶＡＶ装置を使用せずに、従来型のモータダンパを使用するだけで、低コスト、省エネルギーのＶＡＶ式空調システムを構築することができる。
【００１５】
【特許文献１】特開平１−２０８６４８号公報
【特許文献２】実公平５−５３８５号公報
【特許文献３】特開平８−２１９５３５号公報
【発明の開示】
【発明が解決しようとする課題】
【００１６】
しかしながら、特許文献１に記載された空調装置では、チャンバ内の静圧の変化を検出してから、ファンの回転数を制御するものである。そのため、特定のダンパの開度が変化したとき、他のダンパを経て吹き出される吹出口の風量も一旦は変動し、ファン回転数の制御によりチャンバ内圧が元の値に戻るまで、風量は変化している。したがって、頻繁に吹出風量が変動することになり、執務者に違和感を与えるという問題がある。
【００１７】
また、特許文献２に記載された空調装置では、個別分散型空調機に分岐チャンバを接続し数本のフレキシブルダクトを分岐させる場合は、ダンパの個数が送風機速度の段数に相当し得るが、セントラル空調では、１台の送風機に何十台ものダンパが関係することになるため、実用的な制御は不可能となるという問題がある。
【００１８】
さらに、特許文献３に記載されたＶＡＶ式空調システムでは、ダクトの静圧を検出して、その信号でファンの回転数を制御するものであるため、測定点から計測器迄のチューブ配管における抵抗の設定が困難である。抵抗値が大きいと、測定点の静圧変化を検出する迄の時間遅れが大きすぎ、応答が鈍すぎる。逆に、抵抗値が小さすぎると、測定点における静圧変動をそのまま検出してハンチングに陥りやすい。また、適当な抵抗付加手段の標準的手法が未確立であり、トライアンドエラーで設計・施工を行う必要があるため、設計・施工に手間と時間がかかる。
【００１９】
本発明は、安価で、応答性が良く、各吹出口にＶＡＶユニットを設置した空調システム並の個別制御が行える空調システムおよび空調方法を提供することを目的とする。
【課題を解決するための手段】
【００２０】
本発明の第１の構成は、空調ユニットと、前記空調ユニットから供給される空調空気を複数の吹出口に分配するチャンバと、前記チャンバの前記空調ユニット側に設けられ、実風量と設定風量とを比較し、その比較結果に基づいて風量制御を行うＶＡＶユニットと、前記チャンバの各吹出口側に設けた遠隔制御可能なダンパ手段と、前記空調ユニット、チャンバ、ＶＡＶユニットおよびダンパ手段によって空調されるエリアの温度等の空調環境情報を検出して、前記ダンパ手段の開度を変更するダンパ開度変更手段と、前記各ダンパ手段の開度情報を集計して、前記ＶＡＶユニットの設定風量を変更する制御手段とを備えたことを特徴とする空調システムである。
この第１の構成においては、ダンパ手段とダンパ開度変更手段とによる自動制御のループと、空調ユニットの送風手段を部分負荷運転する自動制御のループの中間に、ＶＡＶユニットによる風量制御機能を入れることにより、システムの応答性・安定性が向上する。また、チャンバの空調ユニット側にＶＡＶユニット、吹出口側にダンパ手段を設けて一体としたユニットに構成することができるため、運搬吊り込みが大幅に省力化され、かつ、点検、メンテナンスが集約化され、コストダウンを図ることができる。
【００２１】
本発明の第２の構成は、前記ダンパ開度変更手段は、前記ダンパ手段の開度を数段階の段階制御で変更するものである。ダンパ手段の開度は無段階調整でもよいが、後述の集計演算が複雑になるので、実用上は数段階の段階制御で十分である。
【００２２】
本発明の第３の構成は、前記ダンパ手段は、正逆回転可能なモータで駆動されるモータダンパとしたものである。ダンパの開度調整を正逆回転可能なモータで行うことにより、段階制御が容易になる。
【００２３】
本発明の第４の構成は、第１の構成の空調システムを用いた空調方法であって、ＶＡＶユニットにおける空調空気の通過風速が、設定風量相当となるよう自動制御することを特徴とする空調方法である。ダンパ手段とダンパ開度変更手段とによる自動制御のループと、空調ユニットの送風手段を部分負荷運転する自動制御のループの中間に、ＶＡＶユニットによる風量制御機能を入れることにより、システムの応答性・安定性が向上する。
【００２４】
本発明の第５の構成は、第４の構成において、前記ダンパ手段に接続される吹出口が受け持つ空調エリアの実温度に応じて最適の風量となるように前記ダンパ手段の開度を制御することを特徴とする空調方法である。これにより、各空調エリア毎のきめ細かな温度調整が可能となる。
【００２５】
本発明の第６の構成は、第５の構成において、前記ダンパ手段の開度は、段階制御により行うことを特徴とする空調方法であり、ダンパ手段の開度を無段階調整する方法に比較して、集計演算が簡素化でき、実用上遜色のない風量調整を行うことができる。
【００２６】
本発明の第７の構成は、前記空調ユニットの送風手段の出口側の静圧信号を検出して前記送風手段の回転数を制御する静圧制御を行うようにしたものである。これにより、分岐全数にＶＡＶユニットを設置して制御する従来方法に比べ、高価な風速検出手段の数量を大幅に削減して、なおかつ実質上遜色のないきめ細かい制御が可能となる。
【発明の効果】
【００２７】
本発明によれば、次の効果を奏する。
（１）ダンパ手段とダンパ開度変更手段とによる自動制御のループと、空調ユニットの送風手段を部分負荷運転する自動制御のループの中間に、ＶＡＶユニットによる風量制御機能を入れたことにより、吹出口から吹出さねばならない風量の合計風量がきちんとチャンバに流入するので、ダンパ手段の開度を制御することにより、チャンバから分配される各々の風量は、必ず想定した所定風量とすることができる。
（２）従来のＶＡＶ式空調システムでは、チャンバの各吹出口側にＶＡＶユニットをそれぞれ設置して、正確な風量を担保していたが、本発明では、空調ユニット側に設けた、チャンバ毎に１台のＶＡＶユニットで正確な風量を担保することができる。
（３）ダンパ開度信号の合計でファン静圧を制御する従来例において、静圧制御は、ダンパ開度の変更からファン回転数変更までの時間遅れが大きく、ハンチングを生じやすいので、設定がある程度ラフにならざるを得ないが、本発明では、風速センサで反応するＶＡＶユニットを用いることで、応答が速く、安定した制御ができる。
（４）各ダンパ手段の開度を段階的に変えることにより、ダンパ手段の開度を無段階調整する方法に比較して、集計演算が簡素化でき、実用上遜色のない風量調整を行うことができる。
（５）チャンバ１台にＶＡＶユニット１台を設ければよいので、イニシャルコストを減らすことができ、各吹出口にＶＡＶユニットを設置した場合とほぼ同等の利便性が得られる。
【発明を実施するための最良の形態】
【００２８】
以下、本発明の実施の形態を図１および図２を参照して説明する。
【００２９】
（第１実施形態）
図１は本発明の第１実施形態の構成を示すブロック図である。図中、１はＶＡＶユニット、２はチャンバ、３Ａ〜３Ｄはモータダンパ、４Ａ〜４Ｄはダンパ羽根、５Ａ〜５Ｄはダンパ開閉装置、６はＶＡＶユニット制御装置、６ａは制御基板、７はＤＤＣ、８は室内サーモ、９は室内温度設定器、１０は受信機、１１ａ〜１１ｄは個別風量設定器である。
【００３０】
ＶＡＶユニット１は、他のエリアの風量変化によってＶＡＶユニット１上流側の圧力が変化しても、自エリアの風量が変化することの無いよう、実風量を検出する部分、通過風量を制御する機構、実風量と設定風量とを比較する部分、比較結果に基づいて風量制御機構を動かす部分を持つ。
【００３１】
風量の検出方法には各種あり、オリフイス、ノズル、ベンチュリー管等の差圧を測定して流量そのものを測定する方法と、風速センサを用いて速度を測定しダクト面積を乗じて風量を求める方法に大別され、風速センサも熱式、動圧式、風車式、カルマン渦の発生周波数を測定する方法、風圧によって平板に生じる歪みを測定する方法等がある。
ＤＤＣ７は、ＶＡＶユニット１台に対し１台設けられる。
【００３２】
モータダンパ３Ａ〜３Ｄは、チャンバ２から各吹出口へ分流する風量を制御するもので、ここでは、正逆回転可能なシンクロナスモータを用い、ダンパ羽根４Ａ〜４Ｄを開方向にも閉方向にも回転できるものである。ダンパ羽根４Ａ〜４Ｄの少なくとも全開位置はリミットスイッチにより検出できるようにし、他の開度においては、全開状態からの閉方向、開方向への積算駆動時間により推定するものとする。モータダンパ３Ａ〜３Ｄの駆動（通電）は制御基板６ａに搭載された制御回路によって行い、モータダンパ３Ａ〜３Ｄの現在開度の算出もその制御回路によって行うものとする。
【００３３】
モータダンパ３Ａ〜３Ｄの開度調節は、無段階を含めどのような細かい制御でもよいが、少なくとも（Ｈ）と（Ｌ）の二段階以上の制御を行うことが必要である。徒に段階を増やしても、執務者が個別風量設定器を操作した際に風量が変化したという実感が薄くなるおそれもあることから、ここでは（Ｈ），（Ｍ），（Ｌ）の三段階制御とする。例えば、（Ｈ）は開度１００％、（Ｍ）は開度７０％、（Ｌ）は開度４０％とする。
なお、ここでは、全閉位置はないものとしたが、必要に応じ設けてもよい。
【００３４】
室内サーモ８は１台のＤＤＣ７に対して１台設置し、エリアごとの細かな室温制御を行う。
制御基板６ａは、執務者が操作する個別風量設定器１１ａ〜１１ｄからの信号を受信する受信機１０からの信号を受け、ＶＡＶユニット１のオフセット制御を行うとともに４台のモータダンパ３Ａ〜３Ｄの開度制御を行うもので、ＶＡＶ制御装置本体に組み込まれる。ここで、「オフセット制御」とは、要求風量に応じた設定風量をダンパの開度変更に対応するように補正する制御のことである。
【００３５】
中央コントローラ（図示せず）からＤＤＣ７へ、目標温度が指示される。目標温度のほか、ウオーミングアップ運転の指示や通常運転モードへの復帰指示なども入力される。
ＤＤＣ７は中央コントローラの指示温度と、室内サーモ８からの温度信号を比較して、ＶＡＶユニット１の制御基板６ａに設定風量信号（電流信号４〜２０ｍＡ，または電圧信号１〜５Ｖ）を出力する。
【００３６】
（空調立ち上げ時）
中央コントローラからＤＤＣ７を経由してＶＡＶユニット１の制御基板６ａには、最大設定風量の信号が来る。制御基板６ａは、ＶＡＶユニット１を最大設定風量にするとともに、４台のモータダンパ３Ａ〜３Ｄに全開（Ｈ）の信号（開信号：モータ駆動電圧）を送り続け、リミットスイッチ（図示せず）から全開表示が帰ってきたら、信号を停止する。この状態では、個別風量設定器１１ａ〜１１ｄからモータダンパ３Ａ〜３Ｄの開度を絞り、風量をダウンさせる信号がきても、無視される。
【００３７】
空調立ち上げが完了したら、中央コントローラからＤＤＣ７へ通常運転モードの指示が来る。通常運転モードでは、中央コントローラから指示される目標温度と室内サーモ８が検出する現在温度との温度差に応じて、ＤＤＣ７はＶＡＶユニット１の設定風量を変更する。なお、運転開始から一定時間で、立ち上げ運転から通常運転に切り替わるタイマー制御とすることも多い。
【００３８】
（通常運転モード時）
ＶＡＶユニット１の設定風量を最大設定風量から減少させる時点で、制御基板６ａは４台のモータダンパ３Ａ〜３Ｄに（Ｍ）の信号（この場合は一定時間の閉方向駆動信号）を送る。４台のモータダンパ３Ａ〜３Ｄは、一旦、全て開度（Ｍ）の状態とした後に通常運転モードとする。
【００３９】
ここで、通常運転モード開始時に４台のモータダンパ３Ａ〜３Ｄを一旦すべて開度（Ｍ）にするのは、風量をアップしたい人でも、風量をダウンしたい人でも、最初の１回は自分の意図する制御が実感でき、満足感を与えるためであり、本発明の必須な制御手順ではない。
【００４０】
通常運転モードにおいて、執務者個々人が持つ個別風量設定器１１ａ〜１１ｄから、風量アップ、ダウン（空調強、弱）のワイヤレス信号が発信されると天井面の受信機１０から制御基板６ａにその信号が送られ、個々のモータダンパ３Ａ〜３Ｄに対してダンパ羽根４Ａ〜４Ｄの現在開度から１レベルアップ、ダウンの信号が送られるとともに、ＶＡＶユニット１の設定風量をそれまでの設定風量に対し、１ランクアップ、ダウンした風量に設定しなおす。
【００４１】
たとえば、個別風量設定器１１ａから風量ダウンの信号が発信された場合には、その信号は受信機１０から制御基板６ａに送られる。制御基板６ａは、モータダンパ３Ａの現在開度を記憶しているので、それが（Ｈ）か（Ｍ）であった場合、モータダンパ３Ａに１レベルダウンの信号（（Ｈ）から（Ｍ）に、もしくは（Ｍ）から（Ｌ）に変化する所要時間分の閉方向駆動信号）を送る。
【００４２】
それとともに、それに伴う風量減少分だけ、ＶＡＶユニット１の設定風量を減少させるオフセット制御を行い、ＶＡＶユニット１の羽根（図示せず）が絞られる。ただし、モータダンパ３Ａの開度変更により、ＶＡＶユニット１の下流側の圧力損失は増大するので、モータダンパ３Ａを動かさずに設定風量をダウンさせたときに比べ、ＶＡＶユニット１の羽根の動きは少ない。モータダンパ３Ａの現在開度が（Ｌ）であったときは、個別風量設定器１１ａからの風量ダウン信号は無視される。
【００４３】
個別風量設定器１１ｃから風量アップの信号が発信されると、その信号は受信機１０から制御基板６ａに送られる。制御基板６ａは、モータダンパ３Ｃの現在開度を記憶しているので、それが（Ｍ）か（Ｌ）であった場合、モータダンパ３Ｃに１レベルアップの信号（（Ｌ）から（Ｍ）に、もしくは（Ｍ）から（Ｈ）に変化する所要時間分の開方向駆動信号）を送る。
【００４４】
それとともに、それに伴う風量増大分だけ、ＶＡＶユニット１の設定風量を増大させるオフセット制御を行い、ＶＡＶユニット１の羽根は開かれる。ただし、モータダンパ３Ｃの開度変更により、ＶＡＶユニット１の下流側の圧力損失は減少するので、モータダンパ３Ｃを動かさずに設定風量をアップさせたときに比べ、ＶＡＶユニット１の羽根の動きは少ない。モータダンパ３Ｃの現在開度が（Ｈ）であったときは、個別風量設定器１１ｃからの風量アップ信号は無視される。
【００４５】
モータダンパ３Ａ〜３Ｄの４台とも現在開度が（Ｌ）のときに、いずれかの個別風量設定器１１ａ〜１１ｄから風量ダウン信号が発せられた場合、ＶＡＶユニット１の風量設定が最小風量以外であれば、風量設定値を１ランクダウンする。
【００４６】
モータダンパ３Ａ〜３Ｄの４台とも現在開度が（Ｈ）のときに、いずれかの個別風量設定器１１ａ〜１１ｄから風量アップ信号が発せられた場合、ＶＡＶユニット１の風量設定が最大風量以外であれば、風量設定値を１ランクアップする。
【００４７】
各モータダンパ３Ａ〜３Ｄの各吹出口の現在開度が、個別風量設定器１１ａ〜１１ｄを操作する執務者側にわからないと、（Ｈ）になっているのに風量アップ信号を送ったり、（Ｌ）になっているのに風量ダウン信号を送ったりして、「個別風量設定器を操作しても風量が変わらない」という不満につながる可能性がある。したがって、操作器側にモータダンパ３Ａ〜３Ｄの現在開度の表示機能をつけてもよい。ただし、そうするためには、個別風量設定器１１ａ〜１１ｄと受信機１０間のワイヤレス信号が双方向である必要があり、コスト高になり、トータルコストを抑えて、個人別の空調制御を行うという、本発明の意義が薄れる。
【００４８】
コスト高を防ぐ代替手段として、例えば天井面に取り付ける受信機１０にモータダンパ３Ａ〜３Ｄの現在開度表示機能、例えば、４分割した三重円状のランプをつけて、各々の方向の吹出し口の風量が（Ｈ），（Ｍ），（Ｌ）のいずれになっているかわかるようにする等の機能、を設けてもよい。受信機１０と制御基板６ａとの間は有線なので、ワイヤレスの場合と異なり、たいしたコスト増にはならない。
【００４９】
執務者Ａ，Ｂ，Ｃ，Ｄが全員モータダンパ開度をＬに切り替えたときは、空調が効き過ぎていると考えられるので、室内サーモ８からの温度信号に関わらず、ＶＡＶユニット１は最小設定風量となる。
【００５０】
ひとりの執務者がモータダンパ開度をＭに戻したときは、一旦、他の執務者への風量を変化させないようＶＡＶユニット１の風量制御を行う。
その後、数十分（少なくとも十数分）かけて、ＶＡＶユニット１は、（最小設定風量＋Ｍへの切替に伴う風量変更分）の設定風量から、室内サーモ８からの温度信号で指示された設定風量への切替を行う。
【００５１】
執務者Ａ，Ｂ，Ｃ，Ｄが全員モータダンパ開度を（Ｈ）に切り替えたときは、空調の効きが悪いと考えられるので、室内サーモ８からの温度信号に関わらず、ＶＡＶユニット１は最大設定風量となる。
ひとりの執務者がモータダンパ開度をＭに戻したときは、一旦、他の執務者への風量を変化させないようＶＡＶユニット１の風量制御を行う。
その後、数十分（少なくとも十数分）かけて、ＶＡＶユニット１は、（最大設定風量＋Ｍへの切替に伴う風量変更分）の設定風量から、室内サーモ８からの温度信号で指示された設定風量への切替を行う。
【００５２】
または、執務者Ａ，Ｂ，Ｃ，Ｄが全員モータダンパ開度を（Ｈ）に切り替えたときは、空調の効きが悪いと考えられるので、ＶＡＶユニット１は室内サーモ８からの温度信号で指示された設定風量の２割増（ただし、最大設定風量を超えない）の風量となる。
ひとりの執務者がモータダンパ開度をＭに戻したときは、一旦、他の執務者への風量を変化させないようＶＡＶユニット１の風量制御を行う。
その後、数十分（少なくとも十数分）かけて、（２割増の風量＋Ｍへの切替に伴う風量変更分）の設定風量から、室内サーモ８からの温度信号で指示された設定風量への切替を行う。
【００５３】
ダクトの静圧を検出して、その信号でファンの回転数を制御する静圧制御方法に比較して、ＶＡＶユニット１は、ＶＡＶユニット１自身で、風速（風量）センサと風量制御機構を持つため、応答が早く、安定しやすく、システム固有の時間遅れが発生しにくい。
【００５４】
静圧制御方法では、回転数一定の場合でも、ファンの静圧は風量と相関関係があるので、下流側ダクトのダンパを開閉するなど通風抵抗が変化すると、風量、静圧が相互に変化し、安定する迄に時間がかかったり、目標値から若干ずれたところで安定したりといったことになりやすいが、ＶＡＶユニット１を用いることにより、安定するまでの時間が短く、目標値とのずれが少ないところで安定する。
【００５５】
（第２実施形態）
図２は本発明の第２実施形態の構成を示すブロック図である。この第２実施形態においては、執務者側のパソコンネットワーク（ＬＡＮ：Local Area Network）を利用し、パソコン２１Ａ〜２１Ｄ上で、モータダンパ３Ａ〜３Ｄの操作（風量調整）を行うものである。その他の構成については、第１実施形態と同様であるので、同一の符号を付して説明を省略する。
【００５６】
この第２実施形態において、各パソコン２１Ａ〜２１Ｄの操作画面上に、風量設定、温度設定、運転、停止の設定パネルが表示され、パソコンからＶＡＶユニット１の運転、停止、設定温度、モータダンパの風量設定（Ｈ，Ｍ，Ｌ）を行うことができる。例えば、モータダンパ３Ａは風量設定信号（Ｈ，Ｍ，Ｌ）を受け、設定した開度に調整する。ここで、（Ｈ）は開度１００％、（Ｍ）は開度７０％、（Ｌ）は開度４０％としているが、（Ｈ），（Ｍ），（Ｌ）時の開度設定を変更することもできる。
【００５７】
ＶＡＶユニット１は、上記設定変更に応じた風量を、室内サーモ８等からの信号に基づく要求風量に対し補正する演算処理（オフセット）を行い、他のモータダンパ３Ｂ〜３Ｄからの吹出風量の増減を最小限に抑える。
【００５８】
ＶＡＶユニット１の制御は、機器を制御する信号の一種であるＬｏｎＴａｌｋ（商標）を各パソコン２１Ａ〜２１Ｄを結ぶＬＡＮで伝送できる信号に変換するｉ．Ｌｏｎ（商標）等の信号変換器２２を介して行う。
【００５９】
モータダンパ３Ａ〜３Ｄの風量設定の総和は、ＶＡＶユニット１の最小・最大の範囲内で行う。
【００６０】
この第２実施形態における制御方法については、第１実施形態と同様であるので、説明を省略する。
【産業上の利用可能性】
【００６１】
本発明は、安価で、応答性が良く、各吹出口に設置したＶＡＶ式空調システム並の個別制御が行える空調システムおよび空調方法として、有用に利用することができる。
【図面の簡単な説明】
【００６２】
【図１】本発明の第１実施形態の構成を示すブロック図である。
【図２】本発明の第２実施形態の構成を示すブロック図である。
【図３】ＶＡＶ式空調システムの構成を示すブロック図である。
【符号の説明】
【００６３】
１  ＶＡＶユニット
２  チャンバ
３Ａ〜３Ｄ  モータダンパ
４Ａ〜４Ｄ  ダンパ羽根
５Ａ〜５Ｄ  ダンパ開閉装置
６  ＶＡＶユニット制御装置
６ａ  制御基板
７  ＤＤＣ
８  室内サーモ
９  室内温度設定器
１０  受信機
１１ａ〜１１ｄ  個別風量設定器
２１Ａ〜２１Ｄ  パソコン
２２  信号変換器
【図１】
2005127636.tif 000003
【図２】
2005127636.tif 000004
【図３】
2005127636.tif 000005